(57)【要約】【課題】角質除去中においても肌が摩擦されるという違和感が少なく、角質除去を行った後でも、肌の表面が滑らかで爽快感が感じられる角質除去用軽石を提供する。【解決手段】本考案の角質除去用軽石は、硬質ウレタンフォームからなり、植物の果実又は種子から抽出された植物油が含侵されている。植物の果実又は種子から抽出された植物油としては、アボカドオイル、アルガンオイル、オリーブオイル、ココナッツオイル、カメリアオイル、ホホバオイルなどが挙げられる。【選択図】図１
0003234747.tif 000002
【実用新案登録請求の範囲】
【請求項１】
硬質ウレタンフォームからなり、植物の果実又は種子から抽出された植物油が含侵されている角質除去用軽石。
【考案の詳細な説明】
【技術分野】
【０００１】
本考案は、足の裏や踵等の角質を除去するための角質除去用軽石に関する。
【背景技術】
【０００２】
従来、足の裏や踵等の角質を除去するための軽石として、硬質ポリウレタンを発泡させた硬質ポリウレタンフォームからなる軽石が知られている（例えば特許文献１）。この軽石であれば、肘、膝などをこすって柔らか過ぎず、十分に角質がとれ、しかも硬すぎないので肌を痛めず痛くないという効果を奏する。
【０００３】
しかし、硬質ポリウレタンフォームからなる軽石を角質除去用に用いた場合、除去中に痛いというほどではないものの、肌が摩擦されるという違和感があった。また、角質除去後には、肌の表面がざらざらとして不快感が残るという問題もあった。
【先行技術文献】
【特許文献】
【０００４】
【特許文献１】特開２０１６−２０２６１１号公報
【考案の概要】
【考案が解決しようとする課題】
【０００５】
本考案は、上記従来の実情に鑑みてなされたものであり、角質除去中においても肌が摩擦されるという違和感が少なく、角質除去を行った後でも、肌の表面が滑らかで爽快感が感じられる軽石を提供することを目的とする。
【課題を解決するための手段】
【０００６】
本考案の角質除去用軽石は、硬質ウレタンフォームからなり、植物の果実又は種子から抽出された植物油が含侵されていることを特徴とする。
【０００７】
本考案の角質除去用軽石では、硬質ウレタンフォームからなるため、肘、膝などをこすって柔らか過ぎず、十分に角質がとれ、しかも硬すぎないので肌を痛めず痛くないという効果を奏する。さらに、このフォームには植物の果実又は種子から抽出された植物油が含侵されているため、この植物油が潤滑剤の役割を担って、角質除去中における肌への刺激を低減する。さらには、角質除去を行った後でも、肌の表面が滑らかで爽快感が感じられる。
【０００８】
植物の果実又は種子から抽出された植物油としては、例えばアボカドオイル、アルガンオイル、オリーブオイル、ココナッツオイル、カメリアオイル、ホホバオイルなどが挙げられる。これらの植物油はビタミン、ミネラル等、肌に良い成分が含まれており、肌への保湿効果も付与することとなる。
【０００９】
硬質ウレタンフォームは、ポリオールと有機ポリイソシアネートとを、触媒、整泡剤、発泡剤および添加材の存在下で反応させて製造できる。
【００１０】
ポリオールとしては、従来硬質ウレタンフォームに使用されているポリオールが使用できる。通常、ポリオール化合物は、２ケまたは２ケ以上の活性ヒドロキシ基を有する化合物で、ポリエステルポリオールとポリエーテルポリオールとが挙げられる。ポリエーテルポリオールの具体例としては、エチレングリコール、プロピレングリコール、１，４−ブタンジオール、トリエチレングリコール、ネオペンチルグリコールなどの多価アルコール；ピロガロール、ハイドロキノンなどの多価フェノール；ビスフェノールＡ、ビスフェノールＳ、ビスフェノールＦなどのビスフェノール類；アルキレンジアミン（プロピレンジアミン、ヘキサメチレンジアミンなど）、ポリアルキレンポリアミン（ジエチレントリアミン、トリエチレンテトラミンなど）、アルカノールアミン（モノエタノールアミン、ジエタノールアミン、トリエタノールアミンなど）などの脂肪族アミン；アニリン、フェニレンジアミン、キシリレンジアミンなどの芳香族アミン；イソホロンジアミン、シクロヘキシレンジアミンなどの脂環式アミン；アミノエチルピペラジンなどの複素脂環式アミンなどの活性水素化合物にアルキレンオキサイドを付加した化合物が挙げられる。これらは２種以上の混合物であってもよい。これらのうち好ましいものは、多価アルコールおよび多価フェノールにアルキレンオキサイドを付加した化合物である。該活性水素化合物に付加するアルキレンオキサイドとしては、エチレンオキシド（ＥＯ）、プロピレンオキシド（ＰＯ）、ブチレンオキサイドおよびこれら２種以上の混合物が挙げられる。これらのうち好ましいものは、ＥＯ、ＰＯおよびこれらの混合物である。
【００１１】
ポリエステルポリオールの具体例としては、多価アルコール（前記の２価アルコールおよびトリメチロールプロパン、グリセリンなど）と多塩基酸（コハク酸、アジピン酸、セバシン酸、マレイン酸、ダイマー酸などの脂肪族ポリカルボン酸、フタル酸、テレフタル酸、ダイマー酸、トリメリット酸などの芳香族ポリカルボン酸など）とを反応させて得られる末端が水酸基の縮合ポリエステルポリオール、ε−カプロラクトンなどのラクトンを開環重合して得られるポリラクトンポリオールなどが挙げられる。これらのポリエステルポリオールは２種以上を併用してもよい。これらのうちで好ましいものは、２価アルコール（エチレングリコール、ジエチレングリコールおよび１，４−ブタンジオールの１種以上）とフタル酸とを縮合反応して得られるポリエステルポリオールである。好ましくはポリエーテルポリオールである。より好ましくは末端がプロピレンオキシド付加のポリエーテルポリオールである。その他のポリオールとして、ポリブタジエンポリオール、ポリエーテルエステルポリオールなどを用いてもよい。
【００１２】
有機イソシアネートとしては、ポリウレタンの製造に用いるものであれば限定はない。これらのイソシアネートは、単独でも複数を併用してもよく、それらのヌレート変性、プレポリマー変性、ウレトジオン変性等の変性をした変性体を用いてもよく、複数のポリイソシアネートや変性体をそれぞれ併用してもよい。
具体的には、２，４−または２，６−トルエンジイソシアネート（ＴＤＩ）、粗製ＴＤＩ、ジフェニルメタン−２，４−または４，４´−ジイソシアネート（ＭＤＩ）、ポリメチレンポリフェニルイソシアネート（粗製ＭＤＩ）、ナフチレン−１，５−ジイソシアネート（ＮＤＩ）の芳香族ポリイソシアネート；１，６−ヘキサメチレンジイソシアネート（ＨＤＩ）、４，４´−ジシクロヘキシルメタンジイソシアネート、１，４−シクロヘキシルジイソシアネートなどの脂肪族ポリイソシアネート；イソホロンジイソシアネート（ＩＰＤＩ）、１，４−シクロヘキシルジイソシアネートなどの脂環式ポリイソシアネート；およびこれらの変性物（たとえば、カルボジイミド変性、アロファネート変性、ウレア変性、ビューレット変性、イソシアヌアレート変性、オキサゾリドン変性など）、イソシアネート基末端プレポリマーなどが挙げられる。変性ポリイソシアネートの具体例としては、カルボジイミド変性ＭＤＩ、ショ糖変性ＴＤＩ、ひまし油変性ＭＤＩなどが挙げられる。これらのうちで好ましいものは、ＭＤＩ、ＴＤＩ、カルボジイミド変性ＭＤＩおよびショ糖変性ＴＤＩおよびそれらのプレポリマーである。
【図面の簡単な説明】
【００１３】
【図１】実施例１〜３の角質除去用軽石の写真である。
【考案を実施するための形態】
【００１４】
以下、本考案を具体化した実施例について詳述する。
（実施例１）
実施例１の角質除去用軽石は、図１に示すように、直方体の角を面取りをした略小判型最中の形状をしている。材質はトルエンジイソシアネートとポリオールとの重合体を発泡させた硬質ウレタンフォームからなり、さらに、アボカドオイル、アルガンオイル、オリーブオイル、ココナッツオイル、カメリアオイル、ホホバオイルなどの植物油が含侵された構造とされている。
【００１５】
この角質除去用軽石では、硬質ウレタンフォームからなるため、肘、膝などをこすって柔らか過ぎず、十分に角質がとれ、しかも硬すぎないので肌を痛めず痛くないという効果を奏する。さらに、このフォームには植物の果実又は種子から抽出された植物油が含侵されているため、この植物油が潤滑剤の役割を担って、角質除去中における肌への刺激を低減する効果を有する。また、角質除去を行った後には、滲みだした植物油が肌の表面をコーティングするため、肌の表面が滑らかで爽快感が感じられるとともに、保湿効果も付与して肌に潤いを与える。さらには、植物の種類によって各種のビタミン、ミネラル等、肌に良い影響を与える成分が含まれているため、肌の健康を保つことにもつながる。
【００１６】
（実施例２及び実施例３）
実施例２の角質除去用軽石は、その形状において、直方体の角の面取り量が実施例１よりも少ない。このため、角質除去を行う場合に、軽石の角で踵や足の裏の角質を除去する場合、より強い圧力を角質部分に作用させることができるため、より早く角質の除去が可能となる。
実施例３の角質除去用軽石は、実施例２よりも更に直方体の角の面取り量が実施例１よりも少なく、より角張っている。このため、角質の除去をさらに迅速に除去することができる。
肌への物理的な刺激の強さは実施例１＜実施例２＜実施例３となるため、使用者は、自分の好みに応じて実施例１〜３の角質除去軽石を選択することができる。
【００１７】
実施例１〜３の変形例として植物油をキャリアオイルとして更に各種のエッセンシャルオイルを添加することによって、アロマセラピー効果を付与させることもできる。
【００１８】
この考案は上記考案の実施の態様及び実施例の説明に何ら限定されるものではない。実用新案登録請求の範囲を逸脱せず、当業者が容易に想到できる範囲で種々の変例様もこの考案に含まれる。
【図１】
0003234747.tif 000003